(57)【要約】      （修正有）【課題】駆動電流の不適切な制御によるモータのオペレーティングカレントの過大を防止し、モータの使用寿命を延長する電流制御装置を提供する。【解決手段】電流サンプリングモジュール２１は、ファンモータ３のオペレーティングカレントS31を測定することにより、サンプリング電流信号S21を生成する。なお、オペレーティングカレントS31は、駆動信号S24によって制御される。信号生成モジュール２２は、しきい電流信号S22を生成する。電流検出モジュール２３は、サンプリング電流信号S21としきい電流信号S22を受信するとともに、しきい電流信号S22に基づいて、サンプリング電流信号S21を検出することによりモータ保護信号S23を生成する。電流制御モジュール２４は、モータ保護信号S23を受信するとともに、モータ保護信号S23に基づいて、駆動信号S24の生成を停止または低減させる。【選択図】図２
2007060896.tif 000002
【特許請求の範囲】
【請求項１】
ファンモータモジュールのオペレーティングカレント・サンプリング信号を受信する電流制御装置であって、
しきい電流信号を生成する信号生成モジュールと、
前記オペレーティングカレント・サンプリング信号と前記しきい電流信号を受信するとともに、前記しきい電流信号に基づいて前記オペレーティングカレント・サンプリング信号を検出することによりモータ保護信号を生成する電流検出モジュールと、
前記モータ保護信号を受信するとともに、前記モータ保護信号に基づいて、前記ファンモータモジュールの作動を制御する駆動信号の生成を停止または低減させる電流制御モジュールとを備えることを特徴とする、電流制御装置。
【請求項２】
前記電流検出モジュールと前記電流制御モジュールは、同一の制御器に統合されることを特徴とする、請求項１に記載の電流制御装置。
【請求項３】
前記電流制御モジュールは、制御器であり、前記モータ保護信号によってイネーブルされることを特徴とする、請求項１に記載の電流制御装置。
【請求項４】
前記モータ保護信号は、ハイレベルに設定されることにより、前記電流制御モジュールをイネーブルさせることを特徴とする、請求項３に記載の電流制御装置。
【請求項５】
前記オペレーティングカレント・サンプリング信号は、前記しきい電流信号が対応した電流より大きい場合に、前記電流制御モジュールがディセーブルされ前記駆動信号の生成を停止させることを特徴とする、請求項１に記載の電流制御装置。
【請求項６】
前記電流制御モジュールは、前記モータ保護信号によってディセーブルされ、前記駆動信号の生成を停止または低減させる電流制御過程を実行することを特徴とする、請求項１に記載の電流制御装置。
【請求項７】
前記電流制御モジュールは、前記駆動信号が停止または減低する継続期間を制御することを特徴とする、請求項１に記載の電流制御装置。
【請求項８】
前記電流検出モジュールと前記電流制御モジュールとの間に電気的に接続されることにより、前記モータ保護信号のイネーブル時間を制御する時間制御モジュールをさらに備えることを特徴とする、請求項１に記載の電流制御装置。
【請求項９】
前記時間制御モジュールは、
前記電流検出モジュールに電気的に接続されることにより、前記モータ保護信号を受信するとともに、遅延信号を生成する遅延器と、
前記電流検出モジュールと前記遅延器に電気的に接続されることにより、前記モータ保護信号と前記遅延信号を受信するとともに、前記遅延信号に基づいて、前記電流制御モジュールに入力された前記モータ保護信号のイネーブル時間を制御する論理ゲートとを有することを特徴とする、請求項８に記載の電流制御装置。
【請求項１０】
前記時間制御モジュールは、
前記モータ保護信号を受信する第１抵抗と、
一端が前記第１抵抗に直列に接続されるダイオードと、
第２抵抗と、
前記第２抵抗に並列に接続され、前記ダイオードの他端に電気的に接続されることにより、前記モータ保護信号のイネーブル時間を制御するキャパシタとを有することを特徴とする、請求項８に記載の電流制御装置。
【請求項１１】
前記ファンモータの動作電圧を測定することにより、サンプリング電圧信号を生成する電圧サンプリングモジュールをさらに備えることを特徴とする、請求項１に記載の電流制御装置。
【請求項１２】
前記信号生成モジュールが、しきい値電圧信号を生成し、前記電流検出モジュールが、サンプリング電流信号、前記しきい電流信号、前記サンプリング電圧信号及び前記しきい値電圧信号を受信することにより、前記サンプリング電流信号、前記しきい電流信号、前記サンプリング電圧信号及び前記しきい値電圧信号に基づいて前記モータ保護信号を生成することを特徴とする、請求項１１に記載の電流制御装置。
【請求項１３】
前記信号生成モジュールは、
一端が接地される第１抵抗と、
一端が前記第１抵抗に直列に接続され、他端が電源を受信することにより、前記しきい電流信号を生成する第２抵抗とを有することを特徴とする、請求項１に記載の電流制御装置。
【請求項１４】
前記電流検出モジュールは、一つの入力端がサンプリング電流信号を受信し、もう一つの入力端が前記しきい電流信号を受信し、出力端が前記しきい電流信号と前記サンプリング電流信号に基づいて、前記モータ保護信号を生成する比較器を有することを特徴とする、請求項１に記載の電流制御装置。
【請求項１５】
ファンモータに用いられる電流制御方法であって、
前記ファンモータのオペレーティングカレントを測定することによりサンプリング電流信号を生成し、前記オペレーティングカレントが駆動信号によって制御される電流サンプリングステップと、
しきい電流信号を生成する信号生成ステップと、
前記しきい電流信号に基づいて前記サンプリング電流信号を検出することによりモータ保護信号を生成する電流検出ステップと、
前記モータ保護信号に基づいて前記駆動信号の生成を停止または低減させる電流制御ステップとを含むことを特徴とする、電流制御方法。
【請求項１６】
前記電流検出ステップと前記電流制御ステップは、制御器で実行されることを特徴とする、請求項１５に記載の電流制御方法。
【請求項１７】
前記電流制御ステップは、制御器で実行されるとともに、前記モータ保護信号に基づいて前記制御器をイネーブルさせることを特徴とする、請求項１５に記載の電流制御方法。
【請求項１８】
前記モータ保護信号は、ハイレベルに設定されることにより、前記制御器をイネーブルさせることを特徴とする、請求項１７に記載の電流制御方法。
【請求項１９】
前記オペレーティングカレントは、前記しきい電流信号が対応した電流より大きい場合に、前記制御器がディセーブルされ、前記駆動信号の生成を停止させることを特徴とする、請求項１７に記載の電流制御方法。
【請求項２０】
前記電流制御ステップは、制御器で実行されるとともに、前記制御器が、前記モータ保護信号によってディセーブルされ、前記駆動信号の生成を停止または低減させる電流制御過程を実行することを特徴とする、請求項１７に記載の電流制御方法。
【請求項２１】
前記モータ保護信号のイネーブル時間を制御する時間制御ステップをさらに含むことを特徴とする、請求項１５に記載の電流制御方法。
【請求項２２】
前記ファンモータの動作電圧を測定することにより、サンプリング電圧信号を生成する電圧サンプリングステップをさらに含むことを特徴とする、請求項１５に記載の電流制御方法。
【請求項２３】
前記信号生成ステップでは、しきい値電圧信号を生成し、前記電流検出ステップでは、電流検出モジュールによって前記サンプリング電流信号、前記しきい電流信号、前記サンプリング電圧信号及び前記しきい値電圧信号を受信することにより、前記モータ保護信号を生成することを特徴とする、請求項２２に記載の電流制御方法。
【発明の詳細な説明】
【技術分野】
【０００１】
本発明は、電流制御装置及びその方法に関し、特に、モータ電流を制御する電流制御装置及びその方法に関する。
【背景技術】
【０００２】
モータは、ファンまたは各類型の電子装置に広く適用されるが、モータのオペレーティングカレントが長時間にわたって過大であると、モータが損傷しやすくなる。
【０００３】
図１は、従来のファンモータの電流制御装置を示すブロック図である。図１に示すように、ファンモータ制御器１１は、回転速度制御信号１１１に基づいて、駆動電流１１２〜１１５を発生する。ファンモータ１２は、コイル１２１と、複数のトランジスタ１２２〜１２５とを含む。駆動電流１１２〜１１５は、トランジスタ１２２〜１２５のベースにそれぞれ入力され、コイル１２１のオペレーティングカレントを制御する。
【０００４】
入力電圧Vccは、トランジスタ１２２、１２３のエミッタに電気的に接続される。コイル１２１は、一端がトランジスタ１２２、１２４のコレクタに電気的に接続され、他端がトランジスタ１２３、１２５のコレクタに電気的に接続される。トランジスタ１２４、１２５のエミッタは、電流サンプリング器１３に電気的に接続される。電流サンプリング器１３は、トランジスタ１２４、１２５のエミッタの電流値をサンプリングする。比較器１４１は、サンプリング結果であるサンプリング電流を参照電圧Vrefと比較し、サンプリング電流が過大である場合に、２つのトランジスタ１４２、１４３はイネーブルされ駆動電流１１４、１１５を調節するとともに、コイル１２１のオペレーティングカレントを低減させる。
【発明の開示】
【発明が解決しようとする課題】
【０００５】
コイル１２１のオペレーティングカレントは、トランジスタ１４２、１４３の制御により低減され、オペレーティングカレントの過大による損傷を避けることができるが、ファンモータ制御器１１が発生した駆動電流１１４、１１５が低減されないため、トランジスタ１４２、１４３がディセーブルされると、コイル１２１のオペレーティングカレントが依然として過大であるため、コイル１２１のオペレーティングカレントが過大になる主因が排除されていない。
【０００６】
本発明は、上記問題を鑑みてなされたものであり、モータのオペレーティングカレントを調節することにより、モータを駆動する駆動電流を制御し、駆動電流の不適切な制御によるモータのオペレーティングカレントの過大を防止し、モータの使用寿命を延長する、電流制御装置及びその方法を提供することを目的とする。
【課題を解決するための手段】
【０００７】
本発明に係わる電流制御装置は、ファンモータモジュールのオペレーティングカレント・サンプリング信号を受信する電流制御装置であって、しきい電流信号を生成する信号生成モジュールと、前記オペレーティングカレント・サンプリング信号と前記しきい電流信号を受信するとともに、前記しきい電流信号に基づいて前記オペレーティングカレント・サンプリング信号を検出することによりモータ保護信号を生成する電流検出モジュールと、前記モータ保護信号を受信するとともに、前記モータ保護信号に基づいて、前記ファンモータモジュールの作動を制御する駆動信号の生成を停止または低減させる、電流制御モジュールとを備える。
本発明にかかる電流制御装置では、電流検出モジュールと電流制御モジュールは、同一の制御器に統合されてもよい。
本発明にかかる電流制御装置では、電流制御モジュールは、制御器であり、モータ保護信号によってイネーブルされるようにしてもよい。
本発明にかかる電流制御装置では、モータ保護信号は、ハイレベルに設定されることにより、電流制御モジュールをイネーブルさせるようにしてもよい。
本発明にかかる電流制御装置では、オペレーティングカレント・サンプリング信号は、しきい電流信号が対応した電流より大きい場合に、電流制御モジュールがディセーブルされ駆動信号の生成を停止させるようにしてもよい。
本発明にかかる電流制御装置では、電流制御モジュールは、モータ保護信号によってディセーブルされ、駆動信号の生成を停止または低減させる電流制御過程を実行するようにしてもよい。
本発明にかかる電流制御装置では、電流制御モジュールは、駆動信号が停止または減低する継続期間を制御するようにしてもよい。
本発明にかかる電流制御装置では、電流検出モジュールと電流制御モジュールとの間に電気的に接続されることにより、モータ保護信号のイネーブル時間を制御する時間制御モジュールをさらに備えるようにしてもよい。
本発明にかかる電流制御装置では、時間制御モジュールは、電流検出モジュールに電気的に接続されることにより、モータ保護信号を受信するとともに、遅延信号を生成する遅延器と、電流検出モジュールと遅延器に電気的に接続されることにより、モータ保護信号と遅延信号を受信するとともに、遅延信号に基づいて、電流制御モジュールに入力されたモータ保護信号のイネーブル時間を制御する論理ゲートとを有するようにしてもよい。
本発明にかかる電流制御装置では、時間制御モジュールは、モータ保護信号を受信する第１抵抗と、一端が第１抵抗に直列に接続されるダイオードと、第２抵抗と、第２抵抗に並列に接続され、ダイオードの他端に電気的に接続されることにより、モータ保護信号のイネーブル時間を制御するキャパシタとを有するようにしてもよい。
本発明にかかる電流制御装置では、ファンモータの動作電圧を測定することにより、サンプリング電圧信号を生成する電圧サンプリングモジュールをさらに備えるようにしてもい。
本発明にかかる電流制御装置では、信号生成モジュールが、しきい値電圧信号を生成し、電流検出モジュールが、サンプリング電流信号、しきい電流信号、サンプリング電圧信号及びしきい値電圧信号を受信することにより、サンプリング電流信号、しきい電流信号、サンプリング電圧信号及びしきい値電圧信号に基づいてモータ保護信号を生成するようにしてもよい。
本発明にかかる電流制御装置では、信号生成モジュールは、一端が接地される第１抵抗と、一端が第１抵抗に直列に接続され、他端が電源を受信することにより、しきい電流信号を生成する第２抵抗とを有するようにしてもよい。
本発明にかかる電流制御装置では、電流検出モジュールは、一つの入力端がサンプリング電流信号を受信し、もう一つの入力端がしきい電流信号を受信し、出力端がしきい電流信号とサンプリング電流信号に基づいて、モータ保護信号を生成する比較器を有するようにしてもよい。
【０００８】
さらに、本発明に係わる電流制御方法は、ファンモータに用いられる電流制御方法であって、前記ファンモータのオペレーティングカレントを測定することによりサンプリング電流信号を生成し、前記オペレーティングカレントが駆動信号によって制御される電流サンプリングステップと、しきい電流信号を生成する信号生成ステップと、前記しきい電流信号に基づいて前記サンプリング電流信号を検出することによりモータ保護信号を生成する電流検出ステップと、前記モータ保護信号に基づいて前記駆動信号の生成を停止または低減させる電流制御ステップとを含む。
本発明にかかる電流制御方法では、電流検出ステップと電流制御ステップは、制御器で実行されるようにしてもよい。
本発明にかかる電流制御方法では、電流制御ステップは、制御器で実行されるとともに、モータ保護信号に基づいて制御器をイネーブルさせるようにしてもよい。
本発明にかかる電流制御方法では、モータ保護信号は、ハイレベルに設定されることにより、制御器をイネーブルさせるようにしてもよい。
本発明にかかる電流制御方法では、オペレーティングカレントは、しきい電流信号が対応した電流より大きい場合に、制御器がディセーブルされ、駆動信号の生成を停止させるようにしてもよい。
本発明にかかる電流制御方法では、電流制御ステップは、制御器で実行されるとともに、制御器が、モータ保護信号によってディセーブルされ、駆動信号の生成を停止または低減させる電流制御過程を実行するようにしてもよい。
本発明にかかる電流制御方法では、モータ保護信号のイネーブル時間を制御する時間制御ステップをさらに含んでもよい。
本発明にかかる電流制御方法では、ファンモータの動作電圧を測定することにより、サンプリング電圧信号を生成する電圧サンプリングステップをさらに含んでもよい。
本発明にかかる電流制御方法では、信号生成ステップでは、しきい値電圧信号を生成し、電流検出ステップでは、電流検出モジュールによってサンプリング電流信号、しきい電流信号、サンプリング電圧信号及びしきい値電圧信号を受信することにより、モータ保護信号を生成するようにしてもよい。
【発明の効果】
【０００９】
本発明の電流制御装置及びその方法によれば、しきい電流信号に基づいて、サンプリング電流信号を検出することによりモータ保護信号を生成し、さらに、上記モータ保護信号に基づいてファンモータの駆動信号の生成を停止または低減させることにより、モータのオペレーティングカレントが過大である状態を低減するため、モータの使用寿命を延長することができる。
【発明を実施するための最良の形態】
【００１０】
以下、図面を参照しながら、本発明の好適な実施例における電流制御装置及びその方法について説明する。
【００１１】
実施例１
図２に示すように、本発明の実施例１における電流制御装置２は、ファンモータ３に用いられ、電流サンプリングモジュール２１と、信号生成モジュール２２と、電流検出モジュール２３と、電流制御モジュール２４とを備える。
【００１２】
電流サンプリングモジュール２１は、ファンモータ３のオペレーティングカレントS31を測定することにより、サンプリング電流信号S21を生成する。なお、オペレーティングカレントS31は、駆動信号S24によって制御される。信号生成モジュール２２は、しきい電流信号S22を生成する。電流検出モジュール２３は、サンプリング電流信号S21としきい電流信号S22を受信するとともに、しきい電流信号S22に基づいて、サンプリング電流信号S21を検出することによりモータ保護信号S23を生成する。電流制御モジュール２４は、モータ保護信号S23を受信するとともに、モータ保護信号S23に基づいて、駆動信号S24の生成を停止または低減させることにより、オペレーティングカレントS31を低減させる。
【００１３】
しきい電流信号S22は、オペレーティングカレントS31の電流上限値に設定される。電流検出モジュール２３は、サンプリング電流信号S21としきい電流信号S22とを比較することにより、ファンモータ３のオペレーティングカレントS31がしきい電流信号S22が設定した電流上限値を超えたか否かを判定し、オペレーティングカレントS31がしきい電流信号S22が設定した電流上限値より大きい場合に、電流検出モジュール２３は、モータ保護信号S23を生成することにより、電流制御モジュール２４に駆動信号S24の生成を停止または低減させ、さらにオペレーティングカレントS31を低減させる。
【００１４】
なお、本実施例において、電流制御モジュール２４は、例えば、制御器である。電流制御モジュール２４は、モータ保護信号S23によってディセーブルされ、駆動信号S24の生成を停止または低減させる電流制御過程を実行する。さらに、電流検出モジュール２３と電流制御モジュール２４とを同一の制御器に統合することもできる。
【００１５】
図３に示すように、信号生成モジュール２２は、第１抵抗２２１と第２抵抗２２２とを有する。第１抵抗２２１は、一端が接地され、他端が第２抵抗２２２の一端に直列に接続される。なお、第２抵抗２２２は、他端が電源Vを受信することにより、しきい電流信号S22を生成する。
【００１６】
電流検出モジュール２３は、比較器２３１を有する。比較器２３１は、サンプリング電流信号S21としきい電流信号S22を受信するとともに、しきい電流信号S22とサンプリング電流信号S21に基づいて、モータ保護信号S23を生成する。ここで、比較器２３１は、例えば、増幅器である。
【００１７】
図４と図５に示すように、本実施例において、電流制御モジュール２４は、例えば、制御器である。モータ保護信号S23は、電流制御モジュール２４のイネーブルピンENに入力されるため、電流制御モジュール２４は、モータ保護信号S23に基づいてイネーブル(enable：有効に)される。このため、オペレーティングカレントS31がしきい電流信号S22が設定した電流上限値を超えない場合、モータ保護信号S23は、ハイレベルに設定され、電流制御モジュール２４をイネーブルする。一方、オペレーティングカレントS31がしきい電流信号S22が対応または設定した電流上限値を超えた場合、電流制御モジュール２４は、ディセーブル(disable：無効に)されるため、駆動信号S24の生成を停止させる。
【００１８】
駆動信号S24の生成を効果的に停止させ、オペレーティングカレントS31を低減させるために、電流制御装置２は、さらに、電流制御モジュール２４のディセーブル時間を制御することにより、電流制御モジュール２４の駆動信号S24の生成を停止させる期間を制御する時間制御モジュールを備えることもできる。この期間を利用して、オペレーティングカレントS31が過大になる要因を見つけるかまたは排除することができる。
【００１９】
図４に示すように、電流制御装置２は、さらに、遅延器２５１と論理ゲート２５２とを有する時間制御モジュール２５を備える。遅延器２５１は、電流検出モジュール２３に電気的に接続されることにより、モータ保護信号S23を受信するとともに、遅延信号S25を生成する。論理ゲート２５２は、電流検出モジュール２３と遅延器２５１に電気的に接続されることにより、モータ保護信号S23と遅延信号S25を受信するとともに、遅延信号S25に基づいて、電流制御モジュール２４に入力されるモータ保護信号S23のイネーブルまたはディセーブルの有効時間を制御する。
【００２０】
ここで、遅延器２５１は、例えば、充放電回路またはフリップフロップ（例えばD型フリップフロップ（D-Filp-Flop）、またはRS型フリップフロップ（RS-Flip-Flop））である。論理ゲート２５２は、例えば、NORゲート（NOR gate）である。このようにして、遅延器２５１によって遅延信号S25のイネーブル期間を延長することができ、さらに、論理ゲート２５２によって遅延信号S25を制御し電流制御モジュール２４をディセーブルする期間を延長することができる。
【００２１】
図５に示すように、時間制御モジュール２６は、２つの抵抗２６１、２６２と、ダイオード２６３と、キャパシタ２６４とを有する。ダイオード２６３は、一端が抵抗２６１に直列に接続され、他端が、互いに並列に接続するキャパシタ２６４と抵抗２６２に電気的に接続される。このようにして、抵抗２６１、抵抗２６２とキャパシタ２６４を利用して、モータ保護信号S23を受信する時間を延長または低減させ、さらに、電流制御モジュール２４のイネーブルまたはディセーブル期間を制御する。
【００２２】
図６に示すように、電流制御装置２は、さらに、電圧サンプリングモジュール２７を備える。この電圧サンプリングモジュール２７は、ファンモータ３の動作電圧S32を測定することにより、サンプリング電圧信号S26を生成する。信号生成モジュール２２は、しきい値電圧信号S27を生成する。電流検出モジュール２３は、サンプリング電流信号S21、しきい電流信号S22、サンプリング電圧信号S26及びしきい値電圧信号S27を受信するとともに、サンプリング電流信号S21、しきい電流信号S22、サンプリング電圧信号S26及びしきい値電圧信号S27に基づいてモータ保護信号S23を生成する。
【００２３】
しきい値電圧信号S27は、ファンモータ３の上記動作電圧の電圧上限値に設定されるため、電流検出モジュール２３は、さらに、サンプリング電圧信号S26としきい値電圧信号S27を比較することにより、ファンモータ３の上記動作電圧が、しきい値電圧信号S27が設定した電圧上限値を超えたかどうかを判定し、上記動作電圧が、しきい値電圧信号S27が設定した電圧上限値より大きい場合に、電流検出モジュール２３は、前記モータ保護信号S23を生成することにより、電流制御モジュール２４に駆動信号S24の生成を停止または低減させる。
【００２４】
実施例２
図７に示すように、本発明の実施例２における電流制御装置４は、ファンモータモジュール５のオペレーティングカレント・サンプリング信号S51を受信する。オペレーティングカレント・サンプリング信号S51は、ファンモータモジュール５のオペレーティングカレントをサンプリングすることによって生成される。電流制御装置４は、信号生成モジュール４１と、電流検出モジュール４２と、電流制御モジュール４３とを備える。
【００２５】
信号生成モジュール４１は、しきい電流信号S41を生成する。電流検出モジュール４２は、オペレーティングカレント・サンプリング信号S51としきい電流信号S41を受信するとともに、しきい電流信号S41に基づいて、オペレーティングカレント・サンプリング信号S51を検出することにより、モータ保護信号S42を生成する。電流制御モジュール４３は、モータ保護信号S42を受信するとともに、モータ保護信号S42に基づいて、駆動信号S43の生成を停止または低減させる。なお、駆動信号S43は、ファンモータモジュール５の作動を制御する。
【００２６】
オペレーティングカレント・サンプリング信号S51は、しきい電流信号S41が対応した電流より大きい場合に、電流制御モジュール４３がディセーブルされ駆動信号S43の生成を停止させる。
【００２７】
また、電流制御モジュール４３は、モータ保護信号S42によってディセーブルされ、電流制御過程を実行する。この電流制御過程では、駆動信号S43の生成を停止または低減させるとともに、駆動信号S43が停止または低減する継続期間を制御する。ここで、上記継続期間の長さを設定することにより、ファンモータモジュール５の上記オペレーティングカレントを効果的に低減させ、ファンモータモジュール５を保護することができる。
【００２８】
なお、本実施例のファンモータモジュール５は、図２〜図６の実施例１のファンモータ３と電流サンプリングモジュール２１に対応し、また、本実施例の信号生成モジュール４１、電流検出モジュール４２及び電流制御モジュール４３は、実施例１の信号生成モジュール２２、電流検出モジュール２３び電流制御モジュール２４にそれぞれ対応し、対応した構成要素が同様な機能と処理方法を有するため、電流制御装置４の説明は、省略する。
【００２９】
実施例３
図８は、本発明の実施例３における電流制御方法を示すフロー図である。図８に示すように、本発明の電流制御方法は、ステップS１〜ステップS４を含む。
【００３０】
ステップS１では、ファンモータのオペレーティングカレントを測定することにより、サンプリング電流信号を生成する。なお、上記オペレーティングカレントは、駆動信号によって制御される。
【００３１】
ステップS２では、しきい電流信号を生成する。
【００３２】
ステップS３では、上記しきい電流信号に基づいて、上記サンプリング電流信号を検出することにより、モータ保護信号を生成する。
【００３３】
ステップS４では、上記モータ保護信号に基づいて、上記駆動信号の生成を停止または低減させる。
【００３４】
なお、本実施例の電流制御方法は、図２〜図６の実施例１の電流制御装置に適用され、且つ、その方法は、実施例１で説明した電流制御方法と同様なので、その説明を省略する。
【００３５】
以上、本発明の実施例を図面を参照して詳述してきたが、具体的な構成は、これらの実施例に限られるものではなく、本発明の要旨を逸脱しない範囲の設計変更などがあっても、本発明に含まれる。
【図面の簡単な説明】
【００３６】
【図１】従来のファンモータの電流制御装置を示すブロック図である。
【図２】本発明の実施例１における電流制御装置を示すブロック図である。
【図３】本発明の実施例１の電流制御装置において、電流検出モジュールが比較器を有する態様を示すブロック図である。
【図４】本発明の実施例１の電流制御装置において、時間制御モジュールが遅延器を有する態様を示すブロック図である。
【図５】本発明の実施例１の電流制御装置において、時間制御モジュールが２つの抵抗を有する態様を示すブロック図である。
【図６】本発明の実施例１の電流制御装置における電圧サンプリングモジュールを示すブロック図である。
【図７】本発明の実施例２における電流制御装置を示すブロック図である。
【図８】本発明の実施例３における電流制御方法を示すフロー図である。
【符号の説明】
【００３７】
１１  ファンモータ制御器
１１１  回転速度制御信号
１１２〜１１５  駆動電流
１２  ファンモータ
１２１  コイル
１２２〜１２５、１４２、１４３  トランジスタ
１３  電流サンプリング器
１４１  比較器
Vcc  入力電圧
Vref  参照電圧
２  電流制御装置
２１  電流サンプリングモジュール
２２、４１  信号生成モジュール
２２１  第１抵抗
２２２  第２抵抗
２３、４２  電流検出モジュール
２３１  比較器
２４、４３  電流制御モジュール
２５  時間制御モジュール
２５１  遅延器
２５２  論理ゲート
２６  時間制御モジュール
２６１、２６２  抵抗
２６３  ダイオード
２６４  キャパシタ
２７  電圧サンプリングモジュール
３  ファンモータ
４  電流制御装置
５  ファンモータモジュール
S21  サンプリング電流信号
S22、S41  しきい電流信号
S23、S42  モータ保護信号
S24、S43  駆動信号
S25  遅延信号
S26  サンプリング電圧信号
S27  しきい値電圧信号
S31  オペレーティングカレント
S32  動作電圧
S51  オペレーティングカレント・サンプリング信号
EN  イネーブルピン
V  電源
S１〜S４  電流制御方法のステップ
【図１】
2007060896.tif 000003
【図２】
2007060896.tif 000004
【図３】
2007060896.tif 000005
【図４】
2007060896.tif 000006
【図５】
2007060896.tif 000007
【図６】
2007060896.tif 000008
【図７】
2007060896.tif 000009
【図８】
2007060896.tif 000010